(57)【要約】【課題】管理者会員が作成した旅行計画を他の会員が閲覧する際に、会員各人に応じた旅行計画を提示する。【解決手段】出発地から目的地までの経路を定義した旅行計画をパソコン端末５から旅行計画支援サーバ１にアップロードし、コミュニティサーバ領域１ｂに記憶する。旅行計画支援サーバ１は。パソコン端末６からの旅行計画のダウンロード要求に応答して、パソコン端末６の基準位置を読み込み、その基準位置を出発地として目的地までの経路を変更して記憶し、記憶した新たな経路をパソコン端末６に返信する。【選択図】図１
2013015484.tif 000002
【特許請求の範囲】
【請求項１】
出発地から目的地までの経路を定義した旅行計画を記憶するサーバと、
前記旅行計画を前記サーバにアップロードする第１のクライアント端末と、
前記サーバから前記第１のクライアント端末によりアップロードされた旅行計画をダウンロードする第２のクライアント端末と、を備えた旅行計画支援システムにおいて、
前記サーバは、前記第２のクライアント端末からの前記旅行計画のダウンロード要求に応答して、前記第２のクライアント端末の基準位置を読み込み、前記読み込んだ基準位置を出発地として前記目的地までの経路を変更して記憶し、
前記記憶した新たな経路を前記第２のクライアント端末に返信することを特徴とする旅行計画支援システム。
【請求項２】
請求項１に記載の旅行計画支援システムにおいて、前記第２のクライアント端末は、サーバから返信された旅行計画をメモリ手段に保存することを特徴とする旅行計画支援システム。
【請求項３】
請求項１に記載の旅行計画支援システムにおいて、前記第１および第２のクライアント端末の少なくともいずれか一方は、車両に搭載されており前記サーバとの接続機能を有するカーナビゲーション端末としたことを特徴とする旅行計画支援システム
【請求項４】
請求項１に記載の旅行計画支援システムにおいて、前記第１および第２のクライアント端末の少なくともいずれか一方は、前記サーバとの接続機能を有する携帯電話としたことを特徴とする旅行計画支援システム。
【発明の詳細な説明】
【技術分野】
【０００１】
本発明は、事業会社が提供するポータルサイトを利用して、旅行計画を支援するシステムに関する。
【背景技術】
【０００２】
事業会社が提供するポータルサイトを利用した旅行計画支援システムとして、事業会社や旅行会社で作成された旅行計画をパブリックサーバ上に一般公開し、個人や団体の旅行計画を支援するサイトや、旅行計画をユーザの好みに応じてリコメンドするサイト等が知られている。これらのサイトでは、会員登録をすると会員同士でしか閲覧できないコミュニティサーバ領域を提供している。
【０００３】
したがって、これから旅行を計画しようとしている管理者会員は、パブリックサーバ上に公開されている旅行計画を参考にしたり、自身で独自に計画したりすることで旅行計画をたて、コミュニティサーバにアップデートし、他の会員にメール等で通知する。ここで、通知を受けた会員はこの旅行計画を閲覧し、さらに修正を加えたり、新たな旅行計画を提案したりして、会員同士で旅行計画をコミュニティサーバ上で完成させることができる旅行計画支援システムが知られている。（例えば、特許文献１）。
【先行技術文献】
【特許文献】
【０００４】
【特許文献１】特開２００４−１７７９９９号公報
【発明の概要】
【発明が解決しようとする課題】
【０００５】
特許文献１に開示された旅行計画支援システムによれば、管理者会員が作成した旅行計画を会員同士で閲覧し、自由に修正できるのであるが、最終的に決められた旅行計画は、一般に管理者会員の自宅からの計画であり、これを閲覧する他の会員は自分で出発地を変更して読み取らなければならない。このように、従来の旅行計画支援システムでは、管理者会員が作成した旅行計画を他の会員が閲覧する際に、会員各人に応じた旅行計画を提示することができないという問題があった。
【０００６】
本発明の目的は、上記問題を解決することができる旅行計画支援システムを提供することにある。
【課題を解決するための手段】
【０００７】
請求項１に係る発明は、出発地から目的地までの経路を定義した旅行計画を記憶するサーバと、旅行計画をサーバにアップロードする第１のクライアント端末と、サーバから第１のクライアント端末によりアップロードされた旅行計画をダウンロードする第２のクライアント端末と、を備えた旅行計画支援システムにおいて、サーバは、第２のクライアント端末からの旅行計画のダウンロード要求に応答して、第２のクライアント端末の基準位置を読み込み、読み込んだ基準位置を出発地として目的地までの経路を変更して記憶し、記憶した新たな経路を第２のクライアント端末に返信することを特徴とする。
請求項２に係る発明は、請求項１に記載の旅行計画支援システムにおいて、第２のクライアント端末は、サーバから返信された旅行計画をメモリ手段に保存することを特徴とする。
請求項３に係る発明は、請求項１に記載の旅行計画支援システムにおいて、第１および第２のクライアント端末の少なくともいずれか一方は、車両に搭載されておりサーバとの接続機能を有するカーナビゲーション端末としたことを特徴とする。
請求項４に係る発明は、請求項１に記載の旅行計画支援システムにおいて、第１および第２のクライアント端末の少なくともいずれか一方は、サーバとの接続機能を有する携帯電話としたことを特徴とする。
【発明の効果】
【０００８】
本発明によれば、管理者会員が作成した旅行計画を他の会員が閲覧する際に、会員各人に応じた旅行計画を提示できる旅行計画支援システムを提供することができる。
【図面の簡単な説明】
【０００９】
【図１】本実施形態に係る旅行計画支援システムの構成を示す説明図である。
【図２】情報授受の手順を示すフローチャートである。
【図３】本実施形態に係る旅行計画支援システムの管理者クライアント端末での旅行計画作成画面を示す説明図である。
【図４】本実施形態に係る旅行計画支援システムの閲覧者クライアント端末での旅行計画表示画面を示す説明図である。
【図５】旅行計画を実行するカーナビゲーションの構成を示す説明図である。
【発明を実施するための形態】
【００１０】
一般に、事業会社が提供する旅行計画支援カーナビゲーションポータルサイトでは、さまざまなイベント、アイテム、スポット等のタイプ別の旅行計画を一般公開し、ユーザが旅行計画を立てる際に、これら公開された旅行計画を参考にし、ユーザ独自の旅行計画を作成することを支援するサービスを行っている。また、ユーザが出発地、目的地、経由地、出発時間等を与えるとユーザに適した旅行計画を自動生成し、その後ユーザが自由にカスタマイズできる会員サービスも行っている。
【００１１】
本発明による旅行計画支援システムの実施の形態は、事業会社が提供するカーナビゲーションポータルサイトを利用して、ユーザが旅行計画を作成し、作成した旅行計画をカーナビゲーション装置に入力して、実行するものである。以下、本発明の一実施形態を図面に基づいて説明する。
【００１２】
本発明による旅行計画支援システムは、図１に示すように、さまざまな旅行計画を記憶したデータベース（以下「旅行計画ＤＢ」と称する）２と接続され、事業会社のカーナビゲーションポータルサイトを構成する旅行計画支援サーバ１と、インターネット回線３を介し旅行計画ＤＢ２に記憶された旅行計画を閲覧できるクライアント端末を構成するパソコン端末５、６を備えている。なお、図１ではパソコン端末５、６を一台ずつ図示しているが、実際にはユーザの数に応じて多数のパソコン端末５、６がインターネット回線３に接続されている。
【００１３】
旅行計画支援サーバ１には、全てのユーザが自由に閲覧できる情報が記憶されているパブリックサーバ領域１ａと、同一のコミュニティに所属している会員同士でしか閲覧できない情報が記憶されているコミュニティサーバ領域１ｂが設けられている。コミュニティとは、ナビゲーションポータルサイト内に仮想的に設けられる会員同士の交流の場である。コミュニティサーバ領域１ｂには、様々なコミュニティが予め登録されている。各コミュニティには、少なくとも一名の管理者会員と、そのコミュニティに所属する管理者以外の会員とが登録されており、これらの所属会員同士で旅行計画などの様々な情報を共有することができる。
【００１４】
パソコン端末５は、管理者会員が使用するパソコン端末である。一方パソコン端末６は、管理者以外の閲覧者会員が使用するパソコン端末である。これらパソコン端末５、６を操作することにより、ナビゲーションポータルサイトの各会員は、旅行計画支援サーバ１のパブリックサーバ領域１ａについては、すべての情報に自由にアクセスできる。一方、コミュニティサーバ領域１ｂについては、当該会員が所属しているコミュニティの情報のみアクセス可能であり、これは自由にアップロードおよびダウンロードもすることができる。
【００１５】
まず、ナビゲーションポータルサイトの旅行計画支援サーバ１を利用するために、ユーザは会員登録をする。その会員登録時に、基準位置情報として、自宅の位置情報を含む自宅ＰＯＩ（Point of interest）を登録し、旅行計画支援サーバ１に保存することができる。この旅行計画支援サーバ１では、様々な種類の施設について、その施設の緯度、経度、住所、電話番号などの情報がＰＯＩとして提供されており、その中に自宅ＰＯＩも含まれる。各ＰＯＩはその施設の種類を表す情報を有しており、その中に自宅かどうかを判定するための自宅フラグの情報も含まれる。なお、自宅ＰＯＩはそれを登録したユーザおよび当該ユーザが公開を許可した他のユーザのみに公開し、それ以外のユーザには公開しないことが好ましい。
【００１６】
ここで、旅行計画支援サーバ１とそれぞれのパソコン端末５、６の間では、次の手順で情報の授受が行われる。
【００１７】
図２を参照して、旅行計画支援サーバ１とパソコン端末５、６との間における情報授受の手順を説明する。ステップ１で、管理者会員は、パソコン端末５を用いて、事業会社のナビゲーションポータルサイトで提供される旅行計画ＤＢ２に保存された旅行計画やこの計画に修正を加えあるいはユーザ独自で旅行計画を作成し、旅行計画支援サーバ１のコミュニティサーバ領域１ｂにアップロードする。図３は、この作成された旅行計画のパソコン端末５上での表示画面例を示す。すなわち、管理者会員の自宅から、集合場所等の経由地を通り目的地へ向かうルートとタイムスケジュールを併記した旅行計画の表示画面である。この時に、各閲覧者会員（同一コミュニティに所属しており閲覧を許可する会員）のＵＲＬを同時にコミュニティサーバ領域１ｂ上にアップロードする。そこで、旅行計画支援サーバ１はアップロードされた旅行計画をコミュニティ領域１ｂに記憶する。
【００１８】
ステップ２で、閲覧者会員は、パソコン端末６からポータルサイトにアクセスし、旅行計画支援サーバ１に旅行計画の表示を要求する。すると旅行計画支援サーバ１は、管理者会員が入力したＵＲＬをもとにパソコン端末６を操作している閲覧者会員が管理者会員と同じコミュニティに所属している会員であるか否かを判断し、同じコミュニティに所属している会員であれば旅行計画の表示を許可して次のステップへ進む。一方、パソコン端末６を操作している閲覧者会員が管理者会員と同じコミュニティに所属している会員ではない場合、旅行計画支援サーバ１は旅行計画の表示を禁止し、その旨をパソコン端末６へ通知して処理を中断する。
【００１９】
ステップ３で、旅行計画支援サーバ１は、パソコン端末６を操作している閲覧者会員の自宅ＰＯＩが登録済みであるか否かを判定する。登録済みであればステップ６へ進み、未登録であれば、ステップ４でパソコン端末６に対して自宅ＰＯＩを要求する。ステップ５で、パソコン端末６はステップ４の要求に対する応答を行い、旅行計画支援サーバ１に自宅ＰＯＩを送信する。
【００２０】
ステップ６で、旅行計画支援サーバ１は、登録済みの自宅ＰＯＩまたはステップ５で受信した自宅ＰＯＩを基準位置として読み込む。ステップ７では、ステップ１でアップロードされた旅行計画における自宅とステップ６で読み込んだ自宅ＰＯＩが一致するか否かを判定する。これらが一致する場合、すなわちステップ２で旅行計画の表示要求を行ったのが管理者会員である場合はステップ１０へ進む。一方、旅行計画における自宅と自宅ＰＯＩが一致しない場合、すなわちステップ２で旅行計画の表示要求を行ったのが管理者会員以外の会員である場合はステップ８へ進む。
【００２１】
ステップ８で、旅行計画支援サーバ１は、ステップ６で読み込んだ自宅ＰＯＩにより旅行計画の自宅を書き換える。ステップ９では、ステップ８で書き換えられた自宅を出発地として、そこから目的地までの経路探索を行うことにより、管理者会員のパソコン端末５からアップロードされた元の旅行計画とは別に新たな旅行計画を算出し、その算出結果を記憶する。このとき前述のように集合場所等の経由地が設定されている場合は、その経由地までの経路探索を行い、経由地から目的地までは元の旅行計画と同じにすればよい。ステップ１０では、閲覧者会員のパソコン端末６に対して、ステップ９で記憶した新たな旅行計画を送信する。
【００２２】
ステップ１１で、閲覧者会員のパソコン端末６は、ステップ１０で旅行計画支援サーバ１から送信された旅行計画を表示する。この旅行計画ではステップ８の処理により、出発地が管理者会員の自宅から閲覧者会員の自宅ＰＯＩに置き換えられている。これにより、図４では図３と比べて、閲覧者会員の自宅ＰＯＩを出発地として、そこから集合場所としての経由地を通って目的地に至るルートに変更されている。
【００２３】
ステップ１２で、パソコン端末６は、ステップ１１で表示した旅行計画をＳＤカード等の可搬型のメモリ手段に保存する。これにより、旅行計画支援システムで会員同士が最終的に同意した旅行計画は、メモリ手段を介して各会員のカーナビゲーション装置や携帯端末へ移行され、旅行計画が実行されることとなる。もちろんこれら外部端末がインターネットに接続できる場合は、旅行計画支援サーバ１に直接アクセスして旅行計画を直接ダウンロードすることができる。
【００２４】
図５は、一般的なカーナビゲーションシステムにおいて用いられるナビゲーション装置１０の構成図を示す。このナビゲーション装置１０は車両に搭載されて使用され、ユーザから設定された検索条件に該当する施設を検索して、その施設の中から選択された施設を目的地としたルート案内、または図１の旅行計画支援システムで作成されたルートの案内を行うものである。
【００２５】
図５において、ナビゲーション装置１０は、制御回路２０、ＲＯＭ１５、ＲＡＭ１６、方位センサ１１、車速センサ１２、ＧＰＳセンサ１３、表示モニタ１７、入力装置１８、およびディスクドライブを含む地図データベース（以下「地図ＤＢ」と称す）１４および外部で作成された旅行計画を入力するカードスロット１９を有している。地図ＤＢ１４には、ＤＶＤ−ＲＯＭやインターネットから地図データが蓄積される。
【００２６】
制御回路２０は、マイクロプロセッサおよびその周辺回路からなり、ＲＡＭ１６を作業エリアとしてＲＯＭ１５に格納された制御プログラムを実行することにより、各種の処理や制御を行う。この制御回路２０において、地図ＤＢ１４に記録された地図データに基づいて、施設検索処理や、設定された目的地までの推奨ルートの探索処理などが行われる。
【００２７】
ＧＰＳセンサ１３は、自車両の現在地を検出する装置であり、自車両の進行方位を検出する方位センサ１１、車速を検出する車速センサ１２とともに、表示モニタ１７上で自車両の進行ルートをナビゲートする。
【００２８】
入力装置１８は、ユーザが施設検索条件の設定や検索された施設の中から目的地とする施設を選択するための各種入力スイッチを有し、これは操作パネルやリモコンなどによって実現される。すなわち、ユーザは表示モニタ１７に表示される画面指示に従って入力装置１８を操作することにより、検索条件をナビゲーション装置１０に入力してその検索条件に該当する施設を検索させるとともに、検索された施設の中からいずれかを選択して目的地に設定することができる。
【００２９】
地図ＤＢから読み出された地図データには、目的地までのルート探索に用いられる経路計算データや、交差点名称および道路名称など、推奨経路に従って自車両を目的地まで誘導するために用いられる経路誘導データ、さらに道路を表す道路データなどが含まれている。また、河川や鉄道、地図上の各種施設等（ランドマーク）など、道路以外の地図形状を表す背景データなども地図データに含まれている。
【００３０】
旅行計画支援サーバ１で作成された旅行計画は、パソコン端末５または６でＳＤカード等のメモリ手段にいったん保存される。このメモリ手段から、ナビゲーション装置１０へカードスロット１９を介して旅行計画が入力される。ナビゲーション装置１０はこの入力された旅行計画をもとに、ナビゲーションを実行することができる。
【００３１】
以上説明した本実施の形態によれば、以下のような作用効果を得ることができる。
（１）管理者会員が自分に合った旅行計画を作成しても、閲覧者会員のそれぞれが自分に合った旅行計画として参照できる。
【００３２】
（２）旅行計画をサーバ上で参照し、しかも閲覧者会員は自宅からの計画として参照できるため、修正変更等が簡単に共有できる。
【００３３】
―変形例―
なお、上述した実施の形態は、以下のように変形することもできる。
（変化例１）管理者会員と閲覧者会員がそれぞれ操作する端末をインターネットに接続されたパソコン端末５、６として説明したが、これらいずれか一方または両方の端末をインターネットを介して旅行計画サーバ1と接続可能なカーナビゲーション端末、またはインターネットを介した旅行計画サーバ1との接続機能を有する携帯電話やスマートフォンなどの携帯端末としてもよい。このようにした場合は、旅行計画支援サーバ１から旅行計画を直接送信すればよいため、カーナビゲーションや携帯端末と情報のやり取りを行うＳＤカード等のメモリ手段は必要なくなる。
【００３４】
（変形例２）閲覧者会員のパソコン端末６には、自宅位置変更後の旅行計画のみを返信するようにしたが、管理者会員のパソコン端末５で作成された元の旅行計画も一緒に返信し、これらを同時に表示させるようにしてもよい。
【００３５】
（変形例３）元の旅行計画から変更された部分と変更されていない部分とを識別可能とするために、色を変えて表示するようにしてもよい。
【００３６】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００３７】
１  旅行計画支援サーバ
２  旅行計画ＤＢ
３  インターネット回線
５、６  パソコン端末
１０  ナビゲーション装置
１１  方位センサ
１２  車速センサ
１３  ＧＰＳセンサ
１４  地図ＤＢ
１５  ＲＯＭ
１６  ＲＡＭ
１７  表示モニタ
１８  入力装置
１９  カードスロット
【図１】
2013015484.tif 000003
【図２】
2013015484.tif 000004
【図３】
2013015484.tif 000005
【図４】
2013015484.tif 000006
【図５】
2013015484.tif 000007